(57)【要約】【課題】リード電極と配線基板との間の導通不良の生じにくい、製造コストの低減した液体噴射ヘッドの製造方法を提供すること。【解決手段】ＣＶＤ法により保護膜１６を形成する前に、ＣＯＦ基板２１０が挿入される貫通孔３３が蓋部３４で塞がれているので、蓋部３４によって貫通孔３３内にＣＶＤ法で用いる原料ガスが侵入できず、貫通孔３３に引き出されたリード電極９０に保護膜１６が形成されない。したがって、リード電極９０とＣＯＦ基板２１０との接続で導通不良が生じにくく、製造コストの低減したインクジェット式記録ヘッド１の製造方法を得ることができる。【選択図】図８
2012000873.tif 000002
【特許請求の範囲】
【請求項１】
液体を噴射するノズル開口に連通した圧力発生室、前記圧力発生室の圧力を変化させる圧電素子および前記圧力発生室に前記液体を供給する液体供給路を有する流路形成基板と、前記圧電素子を保護する圧電素子保持部および前記圧電素子から引き出されたリード電極の配線基板と電気的に接続する箇所を露出させる貫通孔を有する保護基板とが接着された液体噴射ヘッドの製造方法であって、
前記圧電素子保持部と前記貫通孔を塞ぐ蓋部を残して前記貫通孔の一部とを形成する保護基板加工工程と、
前記流路形成基板と加工後の前記保護基板とを接着する接着工程と、
前記流路形成基板に、前記圧力発生室および前記液体供給路を形成する流路形成基板加工工程と、
接着された前記流路形成基板および前記保護基板の表面に蒸着法により保護膜を形成する保護膜形成工程と、
前記蓋部を除去し前記貫通孔を形成する貫通孔形成工程とを含む
ことを特徴とする液体噴射ヘッドの製造方法。
【請求項２】
請求項１に記載の液体噴射ヘッドの製造方法において、
前記蓋部の外周に沿ってレーザー光を照射するレーザー照射工程を含み、
前記貫通孔形成工程は、前記保護膜形成工程および前記レーザー照射工程後に、前記蓋部に接着剤付テープを貼り付けて、前記接着剤付テープとともに前記蓋部を除去し前記貫通孔を形成する
ことを特徴とする液体噴射ヘッドの製造方法。
【請求項３】
請求項２に記載の液体噴射ヘッドの製造方法において、
前記レーザー照射工程は、前記保護基板の表面下の内部にレーザー光の焦点を合わせて改質領域を形成する工程を含む
ことを特徴とする液体噴射ヘッドの製造方法。
【請求項４】
請求項１から請求項３のいずれか一項に記載の液体噴射ヘッドの製造方法において、
前記圧電素子保持部を形成する工程で、前記貫通孔を塞ぐ前記蓋部を残して前記貫通孔の一部を形成する
ことを特徴とする液体噴射ヘッドの製造方法。
【請求項５】
請求項１から請求項４のいずれか一項に記載の液体噴射ヘッドの製造方法において、
前記液体はアルカリ性の液体であり、前記保護膜は、酸化タンタルである
ことを特徴とする液体噴射ヘッドの製造方法。
【発明の詳細な説明】
【技術分野】
【０００１】
本発明は、ヘッド液体流路内に耐液体性の保護膜を備えた液体噴射ヘッドの製造方法に関する。
【背景技術】
【０００２】
液体噴射ヘッドとして、例えば、インク滴を吐出するノズル開口と連通する圧力発生室の一部を振動板で構成し、振動板を圧電素子により変形させて圧力発生室のインクを加圧して、ノズル開口からインク滴を吐出させるインクジェット式記録ヘッド等がある。
圧電素子が形成された流路形成基板上に保護基板が接合された液体噴射ヘッドが知られている。圧電素子の電極と駆動回路が実装された配線基板であるＣＯＦ（Ｃｈｉｐ  Ｏｎ  Ｆｉｌｍ）基板とを接続するために、保護基板には貫通孔が形成され、圧電素子からは、リード電極が貫通孔へ引き出され、リード電極にはＣＯＦ基板が貫通孔内で接続されている（例えば、特許文献１参照）。
液体噴射ヘッドでは、液体の接するマニホールド（リザーバー）等の液体流路の内面に、耐液体性（耐インク性）を有する材料、例えば、五酸化タンタルからなる保護膜をＣＶＤ（Ｃｈｅｍｉｃａｌ  Ｖａｐｏｒ  Ｄｅｐｏｓｉｔｉｏｎ）法によって形成する製造方法が知られている（例えば、特許文献２参照）。
また、エッチングによって圧力発生室等を形成する際に、エッチング液から圧電素子等を保護するために、保護テープである有機フィルムを熱溶着によって接合することにより貫通孔等を封止してエッチング液の進入を防ぎ、エッチング液から圧電素子等を保護する製造方法が知られている（例えば、特許文献３参照）。
【先行技術文献】
【特許文献】
【０００３】
【特許文献１】特開２００９−２５５５１７号公報（６頁、図３）
【特許文献２】特開２００６−８２５２９号公報（８頁、図６）
【特許文献３】特開２００９−２２０５０７号公報（６頁、図７）
【発明の概要】
【発明が解決しようとする課題】
【０００４】
複雑な液体流路内であっても、耐液体性を十分に得られるように保護膜を形成する必要がある。そのために、保護膜の成分を含有する原料ガスによって流路内に保護膜を形成しようとするが、原料ガスの回りこみにより貫通孔内のリード電極にも保護膜が形成されてしまう。少なくともリード電極の配線基板との接続箇所に絶縁性の保護膜が形成されると、配線基板をリード電極に接続しようとする際に、リード電極と配線基板との間に、導通不良が生じる。したがって、導通不良により歩留まりが低下し、製造コストの低減した液体噴射ヘッドの製造方法を得るのが困難になる。
【課題を解決するための手段】
【０００５】
本発明は、上述の課題を解決するためになされたものであり、以下の形態または適用例として実現することが可能である。
【０００６】
［適用例１］
液体を噴射するノズル開口に連通した圧力発生室、前記圧力発生室の圧力を変化させる圧電素子および前記圧力発生室に前記液体を供給する液体供給路を有する流路形成基板と、前記圧電素子を保護する圧電素子保持部および前記圧電素子から引き出されたリード電極の配線基板と電気的に接続する箇所を露出させる貫通孔を有する保護基板とが接着された液体噴射ヘッドの製造方法であって、前記圧電素子保持部と前記貫通孔を塞ぐ蓋部を残して前記貫通孔の一部とを形成する保護基板加工工程と、前記流路形成基板と加工後の前記保護基板とを接着する接着工程と、前記流路形成基板に、前記圧力発生室および前記液体供給路を形成する流路形成基板加工工程と、接着された前記流路形成基板および前記保護基板の表面に蒸着法により保護膜を形成する保護膜形成工程と、前記蓋部を除去し前記貫通孔を形成する貫通孔形成工程とを含むことを特徴とする液体噴射ヘッドの製造方法。
【０００７】
この適用例によれば、蒸着法により保護膜を形成する前に、リード電極の配線基板と電気的に接続する箇所を露出させる貫通孔が蓋部で塞がれているので、蓋部によって貫通孔内に蒸着法で用いる原料ガスが侵入せず、貫通孔に引き出されたリード電極に保護膜が形成されない。したがって、リード電極と配線基板との接続で導通不良が生じにくく、製造コストの低減した液体噴射ヘッドの製造方法が得られる。
【０００８】
［適用例２］
上記液体噴射ヘッドの製造方法であって、前記蓋部の外周に沿ってレーザー光を照射するレーザー照射工程を含み、前記貫通孔形成工程は、前記保護膜形成工程および前記レーザー照射工程後に、前記蓋部に接着剤付テープを貼り付けて、前記接着剤付テープとともに前記蓋部を除去し前記貫通孔を形成することを特徴とする液体噴射ヘッドの製造方法。
この適用例では、蓋部の外周にレーザー光を照射するので、蓋部の外周の除去または改質が起こり、強度がその他の領域と比較して弱くなり、接着剤付テープにより容易に蓋部が除去できる。
また、接着剤付テープは、熱の加わる保護膜形成工程およびレーザー照射工程後に使用するので、耐熱性の要求されない接着剤残りの少ないテープを用いることができ、テープの接着剤残りの少ない液体噴射ヘッドの製造方法が得られる。
【０００９】
［適用例３］
上記液体噴射ヘッドの製造方法であって、前記レーザー照射工程は、前記保護基板の表面下の内部にレーザー光の焦点を合わせて改質領域を形成する工程を含むことを特徴とする液体噴射ヘッドの製造方法。
この適用例では、レーザー照射によって、保護基板の内部に改質領域を形成するので、レーザー照射で起こる表面溶解による塵の発生が少ない。したがって、ノズル開口、圧力発生室および液体供給路内の塵の量が減少し、液体の流れが塵によって阻害されることが少ない液体噴射ヘッドの製造方法が得られる。
【００１０】
［適用例４］
上記液体噴射ヘッドの製造方法であって、前記圧電素子保持部を形成する工程で、前記貫通孔を塞ぐ前記蓋部を残して前記貫通孔の一部を形成することを特徴とする液体噴射ヘッドの製造方法。
この適用例では、保護基板加工工程において、圧電素子保持部を形成する工程で、貫通孔を塞ぐ蓋部を残して貫通孔の一部を形成するので、新たな工程を加える必要がなく、製造コストの低減した液体噴射ヘッドの製造方法が得られる。
【００１１】
［適用例５］
上記液体噴射ヘッドの製造方法であって、前記液体はアルカリ性の液体であり、前記保護膜は、酸化タンタルであることを特徴とする液体噴射ヘッドの製造方法。
この適用例では、酸化タンタルはアルカリに対して侵されにくいので、耐アルカリ性に優れた液体噴射ヘッドの製造方法が得られる。
【図面の簡単な説明】
【００１２】
【図１】インクジェット式記録装置の一例を示す概略斜視図。
【図２】インクジェット式記録ヘッドの概略構成を示す分解部分斜視図。
【図３】（ａ）はインクジェット式記録ヘッドの部分平面図、（ｂ）は（ａ）におけるＡ−Ａ部分断面図。
【図４】インクジェット式記録ヘッドの製造方法を表すフローチャート図。
【図５】長手方向に直交する面で切断したインクジェット式記録ヘッドの製造方法を表す部分断面図。
【図６】長手方向に直交する面で切断したインクジェット式記録ヘッドの製造方法を表す部分断面図。
【図７】長手方向に直交する面で切断したインクジェット式記録ヘッドの製造方法を表す部分断面図。
【図８】長手方向に直交する面で切断したインクジェット式記録ヘッドの製造方法を表す部分断面図。
【図９】レーザー照射工程と貫通孔形成工程とを合わせて詳しく示した部分断面図。
【発明を実施するための形態】
【００１３】
以下、実施形態を図面に基づいて詳しく説明する。
図１は、液体噴射装置としてのインクジェット式記録装置１０００の一例を示す概略斜視図である。インクジェット式記録装置１０００は、液体噴射ヘッドとしてのインクジェット式記録ヘッド１を備えている。
図１において、インクジェット式記録装置１０００は、記録ヘッドユニット１Ａおよび１Ｂを備えている。記録ヘッドユニット１Ａおよび１Ｂには、インク供給手段を構成するカートリッジ２Ａおよび２Ｂが着脱可能に設けられ、この記録ヘッドユニット１Ａおよび１Ｂを搭載したキャリッジ３は、装置本体４に取り付けられたキャリッジ軸５に軸方向移動自在に設けられている。
【００１４】
記録ヘッドユニット１Ａおよび１Ｂは、例えば、それぞれブラックインク組成物およびカラーインク組成物を吐出する。そして、駆動モーター６の駆動力が図示しない複数の歯車およびタイミングベルト７を介してキャリッジ３に伝達されることで、記録ヘッドユニット１Ａおよび１Ｂを搭載したキャリッジ３はキャリッジ軸５に沿って移動する。一方、装置本体４にはキャリッジ軸５に沿ってプラテン８が設けられており、図示しない給紙ローラーなどにより給紙された紙等の記録媒体である記録シートＳがプラテン８上を搬送されるようになっている。
【００１５】
記録ヘッドユニット１Ａおよび１Ｂは、インクジェット式記録ヘッド１を記録シートＳに対向する位置に備えている。図では、インクジェット式記録ヘッド１は、記録ヘッドユニット１Ａおよび１Ｂの記録シートＳ側に位置しており、直接図示されていない。
【００１６】
図２に、実施形態にかかるインクジェット式記録ヘッド１を示す分解部分斜視図を示した。インクジェット式記録ヘッド１の形状は略直方体であり、図２は、インクジェット式記録ヘッド１の長手方向（図中の白抜き矢印方向）に直交する面で切断した分解部分斜視図である。
また、図３（ａ）には、インクジェット式記録ヘッド１の部分平面図を、（ｂ）には、（ａ）におけるＡ−Ａ断面図を示した。
【００１７】
図２および図３において、インクジェット式記録ヘッド１は、流路形成基板１０とノズルプレート２０と保護基板３０とコンプライアンス基板４０と駆動回路２００が実装された配線基板である２つのＣＯＦ（Ｃｈｉｐ  Ｏｎ  Ｆｉｌｍ）基板２１０とを備えている。
流路形成基板１０とノズルプレート２０と保護基板３０とは、流路形成基板１０をノズルプレート２０と保護基板３０とで挟むように積み重ねられ、保護基板３０上には、コンプライアンス基板４０が形成されている。
また、２つのＣＯＦ基板２１０は、スペーサー２２０を挟んで配置され、保護基板３０に差し込まれている。
【００１８】
流路形成基板１０は、面方位（１１０）のシリコン単結晶板からなる。流路形成基板１０には、異方性エッチングによって、複数の圧力発生室１２が２つの列１３をなすように形成されている。ここで、列１３は、インクジェット式記録ヘッド１の幅方向（長手方向に直交する方向）に並設されている。圧力発生室１２のインクジェット式記録ヘッド１の幅方向の断面形状は台形状で、圧力発生室１２は、インクジェット式記録ヘッド１の幅方向に長く形成されている。
【００１９】
また、流路形成基板１０の圧力発生室１２の長手方向外側の領域には連通部１４が形成され、さらに、連通部１４と各圧力発生室１２とが、各圧力発生室１２に設けられた液体供給路としてのインク供給路１５を介して連通されている。インク供給路１５は、圧力発生室１２よりも狭い幅で形成されており、連通部１４から圧力発生室１２に流入するインクの流路抵抗を一定に保持している。
【００２０】
ノズルプレート２０には、各圧力発生室１２のインク供給路１５とは反対側の端部近傍に、外部と連通するノズル開口２１が穿設されている。
なお、ノズルプレート２０は、ガラスセラミックス、シリコン単結晶基板又は不錆鋼などからなる。
流路形成基板１０とノズルプレート２０とは、保護膜１６を介して、接着剤や熱溶着フィルム等によって固着されている。
【００２１】
流路形成基板１０のノズルプレート２０が固着された面と対向する面には、振動板を構成する弾性膜５０が形成されている。弾性膜５０は、熱酸化により形成された酸化膜からなる。
流路形成基板１０の弾性膜５０上には、酸化膜からなる絶縁体膜５５が形成されている。さらに、この絶縁体膜５５上には、白金（Ｐｔ）などの金属やルテニウム酸ストロンチウム（ＳｒＲｕＯ）などの金属酸化物からなる下電極６０と、ペロブスカイト構造の圧電体層７０と、Ａｕ、Ｉｒなどの金属からなる上電極８０とが形成され、圧電素子３００を構成している。ここで、圧電素子３００は、下電極６０、圧電体層７０および上電極８０を含む部分をいう。
【００２２】
一般的には、圧電素子３００のいずれか一方の電極を共通電極とし、他方の電極および圧電体層７０を各圧力発生室１２にパターニングして構成する。そして、ここではパターニングされたいずれか一方の電極および圧電体層７０から構成され、両電極への電圧の印加により圧電歪みが生じる部分を圧電体能動部という。
なお、実施形態では、下電極６０を圧電素子３００の共通電極とし、上電極８０を圧電素子３００の個別電極としているが、駆動回路や配線の都合でこれを逆にしても支障はない。いずれの場合においても、圧力発生室１２毎に圧電体能動部が形成されていることになる。また、ここでは、圧電素子３００と当該圧電素子３００の駆動により変位が生じる弾性膜５０および絶縁体膜５５（振動板）とを合わせて圧電アクチュエーターと称する。
【００２３】
また、このような各圧電素子３００を構成する上電極８０には、例えば、金（Ａｕ）等からなる引き出し電極としてのリード電極９０が接続されており、このリード電極９０は、圧力発生室１２の列１３の間の領域まで引き出されている。
【００２４】
圧電素子３００が形成された流路形成基板１０上には、保護基板３０が接着剤５６によって接着されている。
保護基板３０は、圧電素子３００に対向する領域に、圧電素子３００の運動を阻害しない程度の空間を確保した状態の圧電素子保持部３１を有する。圧電素子保持部３１は、各圧力発生室１２の２つの列１３に対応して２つ設けられている。
なお、実施形態では、各圧電素子保持部３１は、各圧力発生室１２の列１３に対応する領域に一体的に設けられているが、圧電素子３００毎に独立して設けられていてもよい。
保護基板３０の材料としては、例えば、ガラス、セラミックス材料、金属、樹脂等が挙げられるが、流路形成基板１０の熱膨張率と略同一の材料で形成されていることがより好ましく、実施形態では、流路形成基板１０と同一材料のシリコン単結晶基板を用いて形成する。
【００２５】
また、保護基板３０には、流路形成基板１０の連通部１４に対応する領域にリザーバー部３２が設けられている。このリザーバー部３２は、実施形態では、保護基板３０を厚さ方向に貫通して圧力発生室１２の列１３に沿って設けられており、流路形成基板１０の連通部１４と連通されて各圧力発生室１２の共通のインク室となるマニホールド１００を構成している。
【００２６】
さらに、保護基板３０の長手方向（図中の白抜き矢印方向）に直交する方向の略中央部、すなわち、圧力発生室１２の列１３間の対向する領域には、保護基板３０を厚さ方向に貫通する貫通孔３３が設けられている。
圧電素子３００から引き出されたリード電極９０は、少なくともその先端部（リード電極端子）が貫通孔３３の底部に露出している。貫通孔３３に露出したリード電極９０の先端部は、ＣＯＦ基板２１０に形成された図示しない配線と電気的に接続されている。ＣＯＦ基板２１０に実装された駆動回路２００によって、各圧電素子３００は駆動する。
ここでは、ＣＯＦ基板２１０の配線とリード電極９０が直接的に接続されることを記載したが、例えば、ＣＯＦ基板２１０からリード電極９０の先端部（リード電極端子）との間に別部材を配置して、ＣＯＦ基板２１０の配線とリード電極９０が間接的に接続される構成を採用しても構わない。つまり、リード電極９０が貫通孔内に露出し、かつ、配線基板と電気的に接続される形態であれば、上記形態に限定されない。
【００２７】
駆動信号は、例えば、駆動電源信号等の駆動ＩＣを駆動させるための駆動系信号のほか、シリアル信号（ＳＩ）等の各種制御系信号を含み、配線は、それぞれの信号が供給される複数の配線で構成される。
【００２８】
保護基板３０上には、封止膜４１および固定板４２とからなるコンプライアンス基板４０が接合されている。ここで、封止膜４１は、剛性が低く可撓性を有する材料（例えば、厚さが６μｍのポリフェニレンサルファイド（ＰＰＳ）フィルム）からなり、この封止膜４１によってリザーバー部３２の一方面が封止されている。また、固定板４２は、金属等の硬質の材料（例えば、厚さが３０μｍのステンレス鋼（ＳＵＳ）等）で形成されている。この固定板４２のマニホールド１００に対向する領域は、厚さ方向に完全に除去された開口部４３となっているため、マニホールド１００の一方面は可撓性を有する封止膜４１のみで封止されている。
【００２９】
流路形成基板１０の圧力発生室１２、インク供給路１５およびマニホールド１００などの液体流路の内面と保護基板３０の表面にアルカリ性の液体であるインクに対する耐エッチング性（耐インク性）を有する材料からなる保護膜１６が設けられている。
保護膜１６の材料は、耐インク性を有する材料であれば特に限定されず、酸化タンタル、酸化ジルコニウム、ニッケルおよびクロム等が挙げられる。例えば、本実施形態では、蒸着法（例えば、ＣＶＤ法）を用いて形成することが出来る五酸化タンタルを用いる。
なお、本実施形態では、保護基板３０のインクの接しない表面にも保護膜１６が設けられているが、インクの接しない保護基板３０の表面には、保護膜１６は設けられていなくてもよい。
【００３０】
インクジェット式記録ヘッド１では、カートリッジ２Ａおよび２Ｂからインクを取り込み、マニホールド１００からノズル開口２１に至るまで内部をインクで満たした後、駆動回路２００からの記録信号に従い、圧力発生室１２に対応するそれぞれの下電極６０と上電極８０との間に電圧が印加される。電圧の印加によって、弾性膜５０および圧電体層７０がたわみ変形し、各圧力発生室１２内の圧力が高まりノズル開口２１からインク滴が吐出する。
【００３１】
以下、インクジェット式記録ヘッド１の製造方法について、図４〜図８を参照して説明する。
インクジェット式記録ヘッド１は、ウェハー状態で複数形成した後に、図２および図３に示すような一つのチップサイズの流路形成基板１０等に分割することによって得られる。以下の説明は、一つのインクジェット式記録ヘッド１を取り出して製造方法の説明を行なう。
ウェハー状態で複数形成した場合は、外周縁部の不要部分を、例えば、ダイシング等により切断することによって除去する。
【００３２】
図４は、インクジェット式記録ヘッド１の製造方法を表すフローチャート図であり、図５〜図８は、長手方向に直交する面で切断したインクジェット式記録ヘッド１の製造方法を表す部分断面図である。
図４において、インクジェット式記録ヘッド１の製造方法は、保護基板加工工程としてのステップ１（Ｓ１）と、接着工程としてのステップ２（Ｓ２）と、流路形成基板加工工程としてのステップ３（Ｓ３）と、保護膜形成工程としてのステップ４（Ｓ４）と、レーザー照射工程としてのステップ５（Ｓ５）と、貫通孔形成工程としてのステップ６（Ｓ６）とを含む。
【００３３】
図５（ａ）〜図５（ｅ）は保護基板加工工程（Ｓ１）を、図６（ｆ）は接着工程（Ｓ２）を、図６（ｇ）〜図７（ｉ）は流路形成基板加工工程（Ｓ３）を、図７（ｊ）は保護膜形成工程（Ｓ４）を、図８（ｌ）はレーザー照射工程（Ｓ５）を、図８（ｍ）は貫通孔形成工程（Ｓ６）を表している。
【００３４】
図５（ａ）において、保護基板加工工程（Ｓ１）では、シリコン基板である保護基板３０を約１１００℃の拡散炉で熱酸化し、その表面に二酸化シリコン膜１３０を形成する。保護基板３０は、例えば、４００μｍ程度の厚さを有するものを用いる。
【００３５】
図５（ｂ）において、保護基板加工工程（Ｓ１）では、二酸化シリコン膜１３０をパターンニングする。パターンニングは、レジストを塗布し、露光、現像後、二酸化シリコン膜１３０のエッチングを行なう、よく知られたフォトレジスト工程によって行なう。
【００３６】
図５（ｃ）において、保護基板加工工程（Ｓ１）では、保護基板３０のエッチングを行ない、図２、図３に示した圧電素子保持部３１と貫通孔３３を塞ぐ蓋部３４を残して貫通孔３３の一部とを同一のエッチング工程にて形成する。
図５（ｄ）において、保護基板加工工程（Ｓ１）では、二酸化シリコン膜１３０を除去する。
なお、圧電素子保持部３１を形成するエッチング条件と貫通孔３３の一部のエッチング条件とを異なるように行なってもよい。また、図に示したエッチング形状は簡略に示したものであり、実際の形状はこれらの形状に限らない。
【００３７】
図５（ｅ）において、保護基板加工工程（Ｓ１）では、エッチング後の保護基板３０を再び熱酸化し、絶縁膜としての二酸化シリコン膜１３１を形成する。二酸化シリコン膜１３１は、図５（ａ）に示した二酸化シリコン膜１３０の形成方法と同様の方法で行なうことができる。以下の説明では、個々で形成した二酸化シリコン膜１３１は図示しないで説明する。
【００３８】
図６（ｆ）において、接着工程（Ｓ２）では、保護基板３０とは別に用意した圧電素子３００が形成された流路形成基板１０と保護基板３０とを、圧電素子３００が圧電素子保持部３１に収まるように向かい合わせ、接着剤５６によって接着する。
接着は、接着面をプライマーで処理後、接着剤５６を保護基板３０の接着面に転写後、流路形成基板１０と保護基板３０とを貼り合せ、仮接着し硬化することで行なう。
保護基板３０は、例えば、４００μｍ程度の厚さを有するため、保護基板３０を接合することによって流路形成基板１０の剛性は著しく向上することになる。
【００３９】
例えば、流路形成基板１０は以下のように用意する。
流路形成基板１０を約１１００℃の拡散炉で熱酸化し、その表面に弾性膜５０を構成する二酸化シリコン膜を形成する。
次に、弾性膜５０上に、ジルコニウム膜を形成する。ジルコニウム膜は、スパッタリング法等により形成できる。ジルコニウム膜を５００〜１２００℃の拡散炉で熱酸化することにより酸化ジルコニウムからなる絶縁体膜５５を形成する。ここで、弾性膜５０と絶縁体膜５５とで振動板が構成される。
【００４０】
白金（Ｐｔ）、イリジウム（Ｉｒ）等からなる下電極膜を絶縁体膜５５の表面に形成後、所定形状にパターニングする。
例えば、イリジウムからなる膜と、白金からなる膜とをスパッタリング法により積層し、積層された複数の膜を所定形状にパターニングすることにより、図２および図３に示した下電極６０が得られる。
次に、下電極６０および絶縁体膜５５上に、圧電材料からなる圧電体層膜を形成する。圧電材料としては、チタン酸ジルコン酸鉛（ＰＺＴ）からなる圧電体層膜を用いることができる。
圧電体層膜の製造方法としては、金属有機物を触媒に溶解・分散したいわゆるゾルを塗布乾燥してゲル化し、さらに高温で焼成することで金属酸化物からなる圧電体層膜を得る、いわゆるゾル−ゲル法を用いることができる。
なお、ゾル−ゲル法に限定されず、例えば、ＭＯＤ（Ｍｅｔａｌ−Ｏｒｇａｎｉｃ  Ｄｅｃｏｍｐｏｓｉｔｉｏｎ）法等を用いてもよい。さらに、これらの液相法による圧電体層膜の製造方法に限定されず、スパッタリングなどの蒸着法を用いた圧電体層膜の製造方法であってもよい。
【００４１】
ゾル−ゲル法を詳しく説明すると、まず金属有機化合物を含むゾル（溶液）を塗布する。次いで、塗布により得られる圧電体前駆体膜を、所定温度に加熱して一定時間乾燥させ、ゾルの溶媒を蒸発させることで圧電体前駆体膜を乾燥させる。さらに、大気雰囲気下において一定の温度で一定時間、圧電体前駆体膜を脱脂する。
なお、ここで言う脱脂とは、ゾル膜の有機成分を、例えば、ＮＯ2、ＣＯ2、Ｈ2Ｏ等として離脱させることである。
【００４２】
このような塗布・乾燥・脱脂の工程を、所定回数、例えば、２回繰り返すことで、圧電体前駆体膜を所定厚に形成し、この圧電体前駆体膜を拡散炉等で加熱処理することによって結晶化させて圧電体膜を形成する。すなわち、圧電体前駆体膜を焼成することで結晶が成長して圧電体膜が形成される。
焼成温度は、６５０〜８５０℃程度であることが好ましく、例えば、約７００℃で３０分間、圧電体前駆体膜を焼成して圧電体膜を形成する。このような条件で形成した圧電体膜の結晶は（１００）面に優先配向する。
上述した塗布・乾燥・脱脂・焼成の工程を、複数回繰り返すことにより、多層の圧電体膜からなる所定厚さの圧電体層膜を形成する。
【００４３】
圧電体層膜の材料としては、例えば、チタン酸ジルコン酸鉛等の強誘電性圧電性材料に、ニオブ、ニッケル、マグネシウム、ビスマス又はイットリウム等の金属を添加したリラクサ強誘電体等を用いてもよい。また、鉛を圧電材料に含まない、いわゆる非鉛の圧電材料からなる圧電素子を用いてもよい。
【００４４】
圧電体層膜形成した後は、例えば、イリジウムからなる上電極膜を圧電体層膜の全面に形成する。上電極膜は、スパッタリング法、例えば、ＤＣまたはＲＦスパッタリング法によって形成することができる。
【００４５】
圧電体層膜および上電極膜を、各圧力発生室１２に対向する領域にパターニングして、下電極６０、圧電体層７０および上電極８０を備えた圧電素子３００を形成する。
【００４６】
流路形成基板１０の全面に亘って、例えば、金（Ａｕ）等からなる金属層を形成し、その後、例えば、レジスト等からなる図示しないマスクパターンを介して金属層を圧電素子３００毎にパターニングすることによってリード電極９０を形成する。
【００４７】
図６（ｇ）において、流路形成基板加工工程（Ｓ３）では、流路形成基板１０をある程度の厚さとなるまで研磨した後、さらにフッ硝酸によってウェットエッチングすることにより流路形成基板１０を所定の厚みにする。例えば、約７０μｍ厚になるように流路形成基板１０をエッチング加工することができる。
ここで、ウェットエッチングによる破壊を防ぐため、テープ４００を保護基板３０に貼り付ける。
【００４８】
図６（ｈ）および図７（ｉ）において、流路形成基板加工工程（Ｓ３）では、流路形成基板１０の液滴の吐出面側の面上に、例えば、窒化シリコン（ＳｉＮ）からなるマスク膜５２を新たに形成し、所定形状にパターニングする。そして、このマスク膜５２を介して流路形成基板１０を異方性エッチングすることにより、流路形成基板１０に圧力発生室１２、連通部１４およびインク供給路１５等を形成する。
その後。テープ４００とマスク膜５２とを取り除く。テープ４００は、保護膜形成工程（Ｓ４）前に取り除くので、耐熱性の低いテープであってもよい。
【００４９】
図７（ｊ）において、保護膜形成工程（Ｓ４）では、保護膜１６を成膜する。保護膜１６は、接着された流路形成基板１０および保護基板３０の表面である、リザーバー部３２、連通部１４など複雑な液体流路の内面に形成する必要があるので、回り込みのよい蒸着法で行なうのが好ましい。ここではＣＶＤ法を用いて成膜した。成膜は、複数のウェハーに１バッジで行なうことができる。
原料ガスとしては、例えば、液体であるペンタエトキシタンタル（Ｔａ（ＯＣ2Ｈ5）5）を用いることができる。保護膜の成分を含有する原料ガスは、気化器によって気化され、キャリアガスＮ2とともに反応室に導入される。またそれと同時に酸素も導入され、ペンタエトキシタンタルは反応室内で熱分解され、酸化タンタル薄膜である五酸化タンタル薄膜が成膜される。この他、例えば、窒化膜を保護膜の材料とする場合には、ＰＶＤ（Ｐｈｙｓｉｃａｌ  Ｖａｐｏｒ  Ｄｅｐｏｓｉｔｉｏｎ）法を用いても良い。つまり、乾式法と呼ばれるものであればよく、湿式法（液体塗布）以外の方法であれば良い。
【００５０】
図７（ｋ）において、流路形成基板１０の保護基板３０が接着される面とは反対側の面に、ノズル開口２１が穿設されたノズルプレート２０を接合する。
【００５１】
図８（ｌ）において、レーザー照射工程（Ｓ５）では、蓋部３４の外周に沿ってレーザー光を照射する。レーザー光の照射には、保護基板３０の内部にレーザー光の焦点を合わせて改質領域を形成する工程を含むのが好ましい。
図８（ｍ）において、貫通孔形成工程（Ｓ６）では、蓋部３４を取り除き貫通孔３３を形成する。
【００５２】
図９は、レーザー照射工程（Ｓ５）と貫通孔形成工程（Ｓ６）とを合わせて詳しく示した部分断面図である。保護膜１６は省略して図示していない。
図９（ａ）において、レーザー照射工程（Ｓ５）では、赤外の波長領域のレーザー光Ｌ１、例えば、ＹＡＧレーザー（Ｎｄ）の１０６４ｎｍの波長のレーザー光Ｌ１をシリコン基板である保護基板３０の内部に焦点が合うように照射する。焦点は、保護基板３０の内部で、圧電素子保持部３１および貫通孔３３の一部が形成されている側の蓋部３４の外周に沿った内部の位置に合わせる。そして、外周に沿って走査する。レーザー光Ｌ１の照射により、保護基板３０の内部に多結晶シリコンからなる改質領域３５が形成される。
【００５３】
図９（ｂ）において、レーザー照射工程（Ｓ５）では、可視の波長領域のレーザー光Ｌ２、例えば、ＹＡＧレーザー（Ｎｄ）の第２高調波５３２ｎｍの波長のレーザー光Ｌ２を保護基板３０に照射する。照射は、圧電素子保持部３１および貫通孔３３の一部が形成されている側とは反対側から、蓋部３４の外周に沿った位置に行なう。照射によって、溝３６が形成されるが、溝３６の形成は、改質領域３５が残るように行なう。
【００５４】
図９（ｃ）において、貫通孔形成工程（Ｓ６）では、接着剤付テープとしての紫外線（ＵＶ）硬化型テープ５００を、保護基板３０の圧電素子保持部３１および貫通孔３３の一部が形成されている側とは反対側に貼り付ける。
図９（ｄ）において、貫通孔形成工程（Ｓ６）では、マスク６００を用いて接着されている紫外線硬化型テープ５００の蓋部３４と接着している領域５２０を除いた領域５１０に紫外線の照射を行なう。領域５１０の紫外線（ＵＶ）硬化型テープ５００は、紫外線の照射により硬化し接着剤の接着力が低下する。
図９（ｅ）において、貫通孔形成工程（Ｓ６）では、紫外線硬化型テープ５００を保護基板３０から引き剥がす。この時、接着力の低下した領域５１０は容易に剥がれる。一方、蓋部３４と紫外線硬化型テープ５００とは、接着力を維持した領域５２０によって接着しており、蓋部３４は紫外線硬化型テープ５００とともに保護基板３０から取り除かれ、貫通孔３３が保護基板３０に形成される。
【００５５】
最後に、保護基板３０にコンプライアンス基板４０を接合し、流路形成基板１０等を図２および図３に示すような一つのチップサイズの流路形成基板１０等に分割し、ＣＯＦ基板２１０を接続することによって、インクジェット式記録ヘッド１が得られる。
【００５６】
インクジェット式記録ヘッド１は、インク供給手段であるインクカートリッジ等と連通するインク流路を具備する記録ヘッドユニットの一部を構成して、インクジェット式記録装置に搭載される。
【００５７】
このような実施形態によれば、以下の効果がある。
（１）ＣＶＤ法により保護膜１６を形成する前に、ＣＯＦ基板２１０が挿入される貫通孔３３が蓋部３４で塞がれているので、蓋部３４によって貫通孔３３内にＣＶＤ法で用いる原料ガスが侵入できず、貫通孔３３に引き出されたリード電極９０に保護膜１６が形成されない。したがって、リード電極９０とＣＯＦ基板２１０との接続で導通不良が生じにくく、製造コストの低減したインクジェット式記録ヘッド１の製造方法を得ることができる。
【００５８】
（２）蓋部３４の外周にレーザー光Ｌ１，Ｌ２を照射するので、蓋部３４の外周の除去または改質が起こり、強度をその他の領域と比較して弱くでき、紫外線硬化型テープ５００により容易に蓋部３４が除去できる。
また、紫外線硬化型テープ５００貼り付け後に、熱の加わる工程を行うことなく紫外線硬化型テープ５００を除去するので、接着剤の残りの少ない紫外線硬化型テープ５００を用いることができ、紫外線硬化型テープ５００の接着剤の残りの少ないインクジェット式記録ヘッド１の製造方法を得ることができる。
さらに、紫外線硬化型テープ５００を用いて、選択的な紫外線の照射により蓋部３４以外の接着剤の接着力を弱めることにより、接着剤の残りをより少なくでき、より容易に蓋部３４が除去できる。
【００５９】
（３）レーザー光Ｌ１の照射によって、保護基板３０の内部に改質領域３５を形成して、蓋部３４の除去を行うので、レーザー光Ｌ１の照射で起こる表面溶解による塵の発生を少なくできる。したがって、圧力発生室１２、インク供給路１５、ノズル開口２１およびマニホールド１００内の塵の量を減少でき、インクの流れが塵によって阻害されることが少ないインクジェット式記録ヘッド１の製造方法を得ることができる。
【００６０】
（４）保護基板加工工程（Ｓ１）において、圧電素子保持部３１と同時に貫通孔３３を塞ぐ蓋部３４を残して貫通孔３３の一部を形成するので、新たな工程を加える必要がなく、製造コストの低減したインクジェット式記録ヘッド１の製造方法を得ることができる。
【００６１】
（５）酸化タンタルはアルカリに対して侵されにくいので、耐インク性に優れたインクジェット式記録ヘッド１の製造方法を得ることができる。
【００６２】
実施形態以外にも、種々の変更を行うことが可能である。
例えば、レーザー照射工程（Ｓ５）は、貫通孔形成工程（Ｓ６）前に行なえばよく、例えば、保護基板加工工程（Ｓ１）の中で行なってもよい。
【００６３】
また、レーザー照射工程（Ｓ５）におけるレーザー照射は、ＹＡＧレーザー（Ｎｄ）の１０６４ｎｍの波長のレーザー光Ｌ１を用いて、保護基板３０の内部にレーザー光Ｌ１の焦点を合わせて改質領域３５を形成する工程のみで行なってもよい。このとき、レーザー照射は、焦点を合わせる深さを変えて複数回に分けて行い、深さ方向の内部のほとんどに改質領域を形成する。
これにより、レーザー光によって保護基板３０の表面が溶解されないので、塵等がより少ないインクジェット式記録ヘッド１の製造方法を得ることができる。
【００６４】
また、テープは、紫外線硬化型テープ５００に限らず、テープ４００と同様に耐熱性の低いテープであっても良い。
レーザー照射工程（Ｓ５）では、蓋部３４を他の部材に保持した状態で、レーザー光で蓋部３４の外周をすべて取り除いた後、蓋部３４を取り除いてもよい。
蓋部３４の除去は、レーザー照射工程（Ｓ５）およびテープを用いたものに限らない。例えば、蓋部３４は、カッターで切り取っても良いし、打ち抜いて取り除いてもよい。
【００６５】
上述した実施形態では、液体噴射ヘッドの一例としてインクジェット式記録ヘッドを挙げて説明したが、本発明は広く液体噴射ヘッド全般を対象としたものであり、インク以外の液体を噴射する液体噴射ヘッドにも勿論適用することができる。
その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられる。
【符号の説明】
【００６６】
１…液体噴射ヘッドとしてのインクジェット式記録ヘッド、１Ａ，１Ｂ…記録ヘッドユニット、２Ａ，２Ｂ…カートリッジ、３…キャリッジ、４…装置本体、５…キャリッジ軸、６…駆動モーター、７…タイミングベルト、８…プラテン、１０…流路形成基板、１２…圧力発生室、１３…列、１４…連通部、１５…液体供給路としてのインク供給路、１６…保護膜、２０…ノズルプレート、２１…ノズル開口、３０…保護基板、３１…圧電素子保持部、３２…リザーバー部、３３…貫通孔、３４…蓋部、３５…改質領域、３６…溝、４０…コンプライアンス基板、４１…封止膜、４２…固定板、４３…開口部、５０…弾性膜、５２…マスク膜、５５…絶縁体膜、５６…接着剤、６０…下電極、８０…上電極、９０…リード電極、１００…液体供給路としてのマニホールド、１３０…二酸化シリコン膜、１３１…二酸化シリコン膜、２００…駆動回路、２１０…配線基板としてのＣＯＦ基板、２２０…スペーサー、３００…圧電素子、４００…テープ、５００…接着剤付テープとしての紫外線硬化型テープ、５１０…領域、５２０…領域、６００…マスク、１０００…液体噴射装置としてのインクジェット式記録装置。
【図１】
2012000873.tif 000003
【図２】
2012000873.tif 000004
【図３】
2012000873.tif 000005
【図４】
2012000873.tif 000006
【図５】
2012000873.tif 000007
【図６】
2012000873.tif 000008
【図７】
2012000873.tif 000009
【図８】
2012000873.tif 000010
【図９】
2012000873.tif 000011